(57)【要約】【課題】様々な体型に対応することのできる補整下着を提供する。【解決手段】胸部及び／又は腹部を被覆するフロントパーツ２とリアパーツ３を有し、リアパーツ３が後ろ中心で分割されて互いに着脱自在に連結可能とされた補整下着であって、左右のリアパーツ３がフロントパーツ２に対して着脱自在に連結されたことを特徴とする補整下着である。【選択図】図２
0003156394.tif 000002
【実用新案登録請求の範囲】
【請求項１】
胸部及び／又は腹部を被覆するフロントパーツ及びリアパーツを有し、前記リアパーツが後ろ中心で分割されて互いに着脱自在に連結可能とされた補整下着であって、左右の前記リアパーツが前記フロントパーツに対して着脱自在に連結されたことを特徴とする補整下着。
【請求項２】
前記リアパーツは、サイズの異なるものが複数種類用意されており、交換可能であることを特徴とする請求項１に記載の補整下着。
【請求項３】
前記リアパーツは、上辺の長さと下辺の長さとの比が異なるものが複数種類用意されたことを特徴とする請求項２に記載の補整下着。
【請求項４】
前記フロントパーツと前記リアパーツとは、身体のサイド部分で連結されることを特徴とする請求項１〜３のいずれかに記載の補整下着。
【請求項５】
左右の前記リアパーツは、それぞれの端部に設けられた接続部によって互いに着脱自在に連結可能とされ、前記接続部は縦横に伸縮性を有することを特徴とする請求項１〜４のいずれかに記載の補整下着。
【請求項６】
前記下着がブラジャー、ロングラインブラジャー又はウエストニッパーであることを特徴とする請求項１〜５のいずれかに記載の補整下着。
【考案の詳細な説明】
【技術分野】
【０００１】
本考案は、胸部及び／又は腹部を引き締めてボディラインを補整するブラジャー、ロングラインブラジャー、ウエストニッパー等の補整下着に関するものである。
【背景技術】
【０００２】
ブラジャー、ロングラインブラジャー、ウエストニッパー等の補整下着は、胸部及び／又は腹部を適度な力で締付けることによって、理想のボディラインに補整するものである。
【０００３】
例えば、一般的なウエストニッパーは、締付け力により腹部の出っ張りを押さえ、くびれたウエストラインを作ることができる。また、ロングラインブラジャーは、カップ部とウエストニッパー部とが一体的に形成されており、バストからウエストまでのラインを整えることができる。
【０００４】
このような補整下着は、着用者の体型に合ったものを着用してこそ効果を最大限に発揮することができる。例えば、締付け力が強すぎるなどといったように着用者の体型に合っていない補整下着であれば、不自然なボディラインとなるうえ、長時間、身に着けているうちに苦しく、血流が悪くなり、身体にも悪影響を及ぼしてしまうおそれがある。また、締付け力が弱すぎても十分な補整効果を得ることができない。したがって、美しいボディラインを保つためにも適正サイズを選ぶことが重要となる。
【０００５】
そこで、従来の補整下着は、背側の分割端に係止部品を段階的に複数列設け、胴周り方向への締付け位置を変えて連結することにより、ある程度のサイズ変更ができるようになっている。例えば、特許文献１記載のウエストニッパーには、数段階に締めつけ位置を違えて係脱可能になる係止部品２が設けられている（特許文献１の図１参照）。
【先行技術文献】
【特許文献】
【０００６】
【特許文献１】実登３０５３１０９号公報
【考案の概要】
【考案が解決しようとする課題】
【０００７】
しかしながら、人の体型は多種多様であり、胴周り方向にだけ調整しても十分に対応できない。すなわち、理想的な体型は、ウエストがアンダーバストよりも細く、その差が約６ｃｍであり、標準的なウエストニッパーはその比で作られている。その正確な着用状態は図７のように、係止部品として複数列あるうちの同列のアイにフックを連結したものである。
【０００８】
しかし、妊娠者や太った人のような、標準よりも極端にウエストが大きい人の場合、標準的なウエストニッパーを着用してもウエストがきつくて閉まらない。たとえ、図８のように、フック５ａを係止するアイ５ｂの列を、下方のみ端側の列に変えて対応したとしても、係止状態がジグザグとなり見た目が悪いばかりか、生地がひきつるなどして理想的な体型への補整効果が損なわれるおそれがある。
【０００９】
また、反対に、標準よりも極端にウエストが細い人の場合、図９のように、フック５ａを係止するアイ４ｂの列を、上方のみ端側の列に変えて対応したとしても、やはり係止状態がジグザグとなり見た目が悪いばかりか、生地がひきつるなどして理想的な体型への補整効果が損なわれるおそれがある。
【００１０】
したがって、それぞれの体型に対応した補整下着を購入しなければならない。さらには、適正サイズの補整下着を選んで着けたとしても、一般的に着用後約３カ月のスパンで体型が良い方向へと変化し、下着のサイズが変わってくることが多い。そうすると、着用開始時は適正サイズであった補整下着が、着用を続けるうちに体型に合わなくなってしまう。すると、ユーザーはサイズが変わる毎に、その体型に合う新たな補整下着を購入しなければならず、経済的負担が大きい。
【００１１】
本考案は、上記課題を解決するためになされたもので、様々な体型に対応することのできる補整下着の提供を目的とするものである。
【課題を解決するための手段】
【００１２】
上記目的を達成するため、本考案は、胸部及び／又は腹部を被覆するフロントパーツ及びリアパーツを有し、リアパーツが後ろ中心で分割されて互いに着脱自在に連結可能とされた補整下着であって、左右のリアパーツがフロントパーツに対して着脱自在に連結されたことを特徴とする補整下着である。
【００１３】
この構成によると、分割された左右のリアパーツを取り外すことができるので、洗濯でき、衛生的である。また、他のリアパーツに交換することもできる。例えば、リアパーツとしてサイズの異なるものを複数種類用意しておき、交換可能とすればよい。個々で異なる体型や、個人の体型変化に応じて、補整下着のサイズを変更することができる。
【００１４】
異なるサイズのリアパーツとしては、例えば、上辺の長さと下辺の長さとの比が異なるものを用意すればよい。標準型体型よりもウエストが極端に太い着用者に対しては、標準よりも下辺の長さの長いリアパーツをフロントパーツに連結するとよい。ウエスト周りに余裕が出るため、締め付けすぎず適当な補整力を与えることができる。反対に、標準体型よりもウエストが極端に細い着用者に対しては、標準よりも下辺の長さの短いリアパーツをフロントパーツに連結するとよい。細いウエストに合わせた補整力を与えることができる。
【００１５】
また、補整下着の着用を続けているうちに、ウエストが細くなってきた場合には、下辺の長さの短いリアパーツに変更すればよい。妊娠やリバウンドをする等してウエストが大きくなった場合には、下辺の長さの長いリアパーツに変更すればよい。
【００１６】
このように、リアパーツのみを交換することにより、様々な体型や体型変化に対応することができる。また、ユーザーとしては、補整下着の全体を変えなくてもよく、リアパーツのみを新たに購入すればよいので、コストを低く抑えることができ、経済的である。
【００１７】
フロントパーツとリアパーツとは、身体のサイド部分で連結するのが、デザイン的に好ましい。
【００１８】
また、左右のリアパーツは、それぞれの端部に設けられた接続部によって互いに着脱自在に連結可能とされ、接続部は縦横に伸縮性を有する。接続部が縦横に伸縮性を備えることにより、前かがみ等の身体の動きに追従することができて窮屈でなく、着用位置がずれにくい。フィット感が増す。また、左右のリアパーツ間の連結が外れにくくなる。
【００１９】
上記補整下着としては、胸部を被覆するブラジャー、胸部及び腹部を被覆するロングラインブラジャー、腹部を覆うウエストニッパー等が挙げられるが、胸部及び／又は腹部を被覆する下着であれば特に限定されるものではない。
【考案の効果】
【００２０】
以上の説明から明らかな通り、左右のリアパーツがフロントパーツに対して着脱可能とされているので、リアパーツのみを取り外して洗濯したり、他のリアパーツへ交換することができる。したがって、個々の体型に合った補整下着を提供することができると共に、着用していくうちに体型が変わってもリアパーツを交換することにより、現在の体型に合った補整下着に調整することが可能である。したがって、様々な体型や体型変化に応じて適切な補整下着を柔軟に対応でき、一度購入した商品を長期的に愛用することができる。これにより、たとえ妊娠した女性であっても、ボディスーツ等の着用が可能となる。
【図面の簡単な説明】
【００２１】
【図１】第１の実施形態のロングラインブラジャーを示す図であって、（ａ）はフロントパーツとリアパーツを連結した状態を示す図、（ｂ）は比較的下辺が長い左右のリアパーツを示す図、（ｃ）は比較的下辺が短い左右のリアパーツを示す図である。
【図２】第１の実施形態のロングラインブラジャーを外面側からみた分解図
【図３】第１の実施形態のロングラインブラジャーを内面側からみた分解図
【図４】他の実施形態のロングラインブラジャーを示す図であって、（ａ）はフロントパーツとリアパーツを連結した状態を示す図、（ｂ）は比較的下辺が長い左右のリアパーツを示す図、（ｃ）は比較的下辺が短い左右のリアパーツを示す図である。
【図５】他の実施形態のブラジャーを示す図であって、（ａ）はフロントパーツとリアパーツを連結した状態を示す図、（ｂ）は比較的下辺が長い左右のリアパーツを示す図、（ｃ）は比較的下辺が短い左右のリアパーツを示す図である。
【図６】第２の実施形態のウエストニッパーを示す図であって、（ａ）はフロントパーツとリアパーツを連結した状態を示す図、（ｂ）は比較的下辺が長い左右のリアパーツを示す図、（ｃ）は比較的下辺が短い左右のリアパーツを示す図である。
【図７】適正サイズのロングラインブラジャーを着用した状態を示す図
【図８】従来のウエストがきついロングラインブラジャーを着用した状態を示す図
【図９】従来のウエストがゆるいロングラインブラジャーを着用した状態を示す図
【考案を実施するための形態】
【００２２】
以下、本考案の実施形態を図面に基づいて説明する。
【００２３】
＜第１の実施形態＞
ロングラインブラジャー１は、バストからウエストまでの体型を補整する丈の長いブラジャーであって、特に胃の出ている人や、脇に贅肉が付いている人等のウエストラインの体型を整えるのに適したブラジャーである。
【００２４】
図２及び図３に示すように、第１の実施形態のロングラインブラジャー１は、ウエストまで達するフロントパーツ２及びリアパーツ３からなり、胸部及び腹部を被覆する。リアパーツ３は後ろ中心で分割されて左右のリアパーツ３ａ、３ｂとされ、背側で互いに着脱自在に連結可能とされる。また、左右のリアパーツ３ａ、３ｂはフロントパーツ２に対しても着脱自在に連結可能とされる。
【００２５】
フロントパーツ２は、非伸縮性の生地からなり、バストを覆う左右のカップ部２ｂと、該カップ部２ｂにつながり、アンダーバストからウエストまでを覆うフロントパーツ本体２ａとから構成され、身体の前側を覆う。
【００２６】
フロントパーツ本体２ａの左右端は身体のサイド部分までを覆い、その端部には、リアパーツ３と連結するための伸縮性を有するフロントパーツ連結部４が縫着される。フロントパーツ連結部４は、帯状体４ａ上に、縦に複数のスナップの雌型４ｂが並設されてなる。フロントパーツ連結部４の帯状体４ａは、伸縮性を有する生地でも非伸縮性の生地でもよい。
【００２７】
リアパーツ３は、縦横に伸縮性を有する生地が用いられ、身体の後ろ側を覆う。この縦横への伸縮力によりロングラインブラジャー１が適度の緊締力及びフィット感をもって着用され、ずり上がりやずり下がり等を防いでいる。
【００２８】
左右のリアパーツ３ａ、３ｂは身体のサイド部分までを覆う。左右のリアパーツ３ａ、３ｂの背側の端部には、着用時に背側で左右のリアパーツ３ａ、３ｂを互いに連結するための接続部５として、フック・アイテープ５が設けられる。すなわち、右側のリアパーツ３ａの端部には、フック５ａが縦に並設されたフックテープが縫着され、左側のリアパーツ３ｂの端部には、アイ５ｂが縦横に並設されたアイテープが縫着される。
【００２９】
また、フック・アイテープ５は、縦横に伸縮性を有する。この縦横への伸縮性により、前かがみ等の身体の動きに追従することができ、フィット感が増し、窮屈感を生じない。また、両者の連結が外れにくい。
【００３０】
また、左右のリアパーツ３ａ、３ｂは、そのフロントパーツ２側の端部の内面側に、フロントパーツ２と連結するためのリアパーツ連結部６が縫着される。リアパーツ連結部６は、帯状体６ａ上に、縦に複数のスナップの雄型６ｂが並設されてなる。リアパーツ連結部６の帯状体６ａは、伸縮性を有する生地でも非伸縮性の生地でもよい。また、リアパーツ連結部６が、リアパーツ３の内面に縫着されることにより、フロントパーツ２との連結時に、リアパーツ連結部６が外観に現れないですむ。
【００３１】
上記のような、フロントパーツ連結部４のスナップ４ｂ及びリアパーツ連結部６のスナップ６ｂにより、フロントパーツ２とリアパーツ３とは身体のサイド部分で着脱自在に連結される。なお、連結手段としてはスナップ４ｂ、６ｂに限定されるものではなく、フックアンドアイ（かぎホック）、面ファスナー、スライドファスナー等の他の連結手段を用いてもよいが、スナップは連結状態が安定しているため好ましい。
【００３２】
リアパーツ３は、各カップサイズにおいて、上辺の長さと下辺の長さとの比（アンダーバストサイズとウエストサイズの比）が異なるものが複数用意され、フロントパーツ２に対してリアパーツ３を交換可能とされる。すなわち、まず、理想体型である標準型として、アンダーバストサイズよりもウエストサイズが６ｃｍ少ないリアパーツ３を用意する（図１（ａ））。そして、標準型よりもウエストサイズの大きい体型への対応型として、標準型よりもウエストサイズの大きい太身型のリアパーツ３を用意する（図１（ｂ））。さらに、標準型よりもウエストサイズの小さい体型への対応型として、標準型よりもウエストサイズの小さい痩身型のリアパーツ３を用意する（図１（ｃ））。
【００３３】
このように、各カップサイズ毎に、３段階にリアパーツ３を準備することにより、標準サイズの着用者には標準型のリアパーツ３を（図１（ａ））、標準よりも極端にウエストサイズの大きい着用者には太身型のリアパーツ３を（図１（ｂ））を、標準よりも極端にウエストサイズの小さい着用者にはであれば痩身型のリアパーツ３（図１（ｃ））を、フロントパーツ２に連結する。着用者の体型に対応した補整下着を提供することができる。
【００３４】
さらに、補整下着の着用を続けていくうちに、着用者の体型が変更してきた場合には、リアパーツ３を取り外して適当なリアパーツ３に交換することができる。このように、日常生活においてサイズが変わったとしても、自分に合ったサイズに変更することができるので、着用者としては新たに新しいサイズの補整下着を購入する必要が無く、リアパーツ３のみを購入すればすむので経済的負担が減る。
【００３５】
また、従来、補整下着はフロントパーツ２の部分が伸縮性を持たないため、洗濯をしにくいという問題があったが、本発明の補整下着はリアパーツ３を着脱可能であるので、リアパーツ３を取り外して簡単に洗濯することができる。衛生的に保つことができる。
【００３６】
以上のような構成のロングラインブラジャー１を客に提供する際には、まず、カップ部２ｂのサイズの合うフロントパーツ２を選ぶ。次に、上辺の長さと下辺の長さの比（アンダーバストサイズとウエストサイズの比）が異なるものが複数用意されたリアパーツ３の中から、アンダーバストサイズ及びウエストサイズの合うリアパーツ３を選んで、連結部４、６を介してフロントパーツ２に連結する。
【００３７】
なお、上記実施形態においては、標準型、太身型、痩身型の３段階に展開したが、さらに細かく上辺の長さと下辺の長さの比（アンダーバストサイズとウエストサイズの比）を設定して多段階に展開してもよい。また、上記では各カップサイズ毎にリアパーツ３を展開したが、各カップサイズ及びアンダーバストサイズ毎にリアパーツ３を展開するようにしてもよい。より体型に合った補整下着を提供することができる。
【００３８】
また、上記実施形態においては、ウエストにまで至るロングラインブラジャー１について示したが、図４の他の実施形態のロングラインブラジャー７及び図５の他の実施形態のブラジャー８に示すとおり、第１の実施形態のロングラインブラジャー１よりも丈を短くしたり、肩ひも９を取り付けたりしてもよい。
【００３９】
＜第２の実施形態＞
図６は第２の実施形態のウエストニッパーを示す図である。図６に示すように、本実施形態のウエストニッパー１０は、フロントパーツ２とリアパーツ３が腹部を被覆するものであり、フロントパーツ２にカップ部２ｂが縫着されていない点で上記第１の実施形態とは異なるが、それ以外は第１の実施形態と同様である。ウエストニッパー１０は、締付け力により腹部の出っ張りを押さえ、くびれたウエストラインを作ることができる。
【００４０】
以上のような構成のウエストニッパー１０を客に提供する際には、まず、上辺の長さと下辺の長さとの比が異なるものが複数用意されたリアパーツ３の中から、サイズの合うリアパーツ３を選んで、連結部４、６を介してフロントパーツ２に連結する。また、補整下着の着用を続けていくうちに、着用者の体型が変更してきた場合には、リアパーツ３を取り外して適当なリアパーツ３に交換する。このように、体型に合った補整下着を提供することができると共に、着用していくうちに体型が変わってもリアパーツ３を交換することにより、現在の体型に合った補整下着に変更することが可能である。
【符号の説明】
【００４１】
１    ロングラインブラジャー
２    フロントパーツ
２ａ  フロントパーツ本体
２ｂ  カップ部
３    リアパーツ
４    フロントパーツ連結部
５    接続部
６    リアパーツ連結部
【図１】
0003156394.tif 000003
【図２】
0003156394.tif 000004
【図３】
0003156394.tif 000005
【図４】
0003156394.tif 000006
【図５】
0003156394.tif 000007
【図６】
0003156394.tif 000008
【図７】
0003156394.tif 000009
【図８】
0003156394.tif 000010
【図９】
0003156394.tif 000011